(57)【要約】【課題】さらなる消費電力の低減を図ることのできる携帯端末装置を提供する。【解決手段】主操作部２８を有する第１筐体１４と、主操作部２８の少なくとも一部を隠す第１位置から主操作部２８を露出させる第２位置まで移動する第２筐体１２と、第１筐体１４の主操作部２８を照明する照明部４０とを備え、第２筐体１２が移動しているときに、その位置に基づいて照明部４０が段階的に制御される携帯端末装置である。【選択図】        図１
2004297601.tif 000002
【特許請求の範囲】
【請求項１】
操作部を有する第１筐体と、
前記操作部の少なくとも一部を隠す第１位置から前記操作部を露出させる第２位置まで移動する第２筐体と、
前記第１筐体の操作部を照明する照明部と、
前記第２筐体が移動しているときに、その位置に基づいて前記照明部を段階的に制御する制御部と、
を含むことを特徴とする携帯端末装置。
【請求項２】
請求項１に記載の携帯端末装置において、
前記照明部は、前記第２筐体の移動方向に複数配置され、
前記制御部は、前記操作部のうち、前記第２筐体の移動に伴って露出している部分に対応する照明部を点灯制御する
ことを特徴とする携帯端末装置。
【請求項３】
請求項１又は２に記載の携帯端末装置において、
さらに、情報表示部と、当該情報表示部を照明する第２照明部とを含み、
前記制御部は、少なくとも前記第２筐体が移動している間は、当該第２照明部を点灯制御する
ことを特徴とする携帯端末装置。
【請求項４】
操作部を有する第１筐体と、
前記操作部の少なくとも一部を隠す第１位置から前記操作部を露出させる第２位置まで移動する第２筐体と、
前記第１筐体の操作部を照明する照明部と、
を含む携帯端末装置の、前記照明部を制御する方法であって、
前記第２筐体が移動しているときに、その位置を検出する工程と、
前記検出された位置に基づいて前記照明部を段階的に制御する工程と、
を含むことを特徴とする携帯端末装置の照明制御方法。
【請求項５】
操作部を有する第１筐体と、
前記操作部の少なくとも一部を隠す第１位置から前記操作部を露出させる第２位置まで移動する第２筐体と、
前記第１筐体の操作部を照明する照明部と、
を含む携帯端末装置に内蔵されたコンピュータに、
前記第２筐体が移動しているときに、その位置を検出する手順と、
前記検出された位置に基づいて前記照明部を段階的に制御する手順と、
を実行させることを特徴とする携帯端末装置の照明制御プログラム。
【発明の詳細な説明】
【０００１】
【発明の属する技術分野】
本発明は第１筐体と、該第１筐体に対して移動可能に設けられた第２筐体と、を備えた携帯端末装置に関する。
【０００２】
【従来の技術】
携帯電話機などの携帯端末装置においては、バッテリーの消費量を低減するために様々な省電力制御が行われている。例えば、液晶表示部にバックライトが付いた携帯電話機の場合、着信時やユーザによる操作が行われたときに一定の時間だけバックライトを点灯させるだけとすることで、バックライトによる電力消費を低減している。
【０００３】
また、携帯端末によっては、その操作部が設けられている側の辺を回転軸として回動する扉部によって操作部を覆うよう構成され、操作部が露出したところで操作部全体が照明され、操作部が覆われた状態で操作部の照明が消灯されるものもある。
【０００４】
【特許文献１】
特開２００２−３００２７０
【０００５】
【発明が解決しようとする課題】
しかしながら、上記従来の携帯端末では、各照明の全体が点灯するか消灯するるかのいずれかの状態しかなく、例えば操作部のうち、一部が点灯されれば操作可能であるとしても、操作部全体が照明されることとなって、消費電力の十分な低減が図られていない。
【０００６】
本発明は上記実情に鑑みて為されたもので、さらなる消費電力の低減を図ることのできる携帯端末装置を提供することをその目的の一つとする。
【０００７】
【課題を解決するための手段】
上記従来例の問題点を解決するための本発明は、携帯端末装置であって、操作部を有する第１筐体と、前記操作部の少なくとも一部を隠す第１位置から前記操作部を露出させる第２位置まで移動する第２筐体と、前記第１筐体の操作部を照明する照明部と、前記第２筐体が移動しているときに、その位置に基づいて前記照明部を段階的に制御する制御部と、を含むことを特徴としている。
【０００８】
また、前記照明部は、前記第２筐体の移動方向に複数配置され、前記制御部は、前記操作部のうち、前記第２筐体の移動に伴って露出している部分に対応する照明部を点灯制御することとしてもよい。
【０００９】
さらに、情報表示部と、当該情報表示部を照明する第２照明部とを含み、前記制御部は、少なくとも前記第２筐体が移動している間は、当該第２照明部を点灯制御することとしてもよい。
【００１０】
また、上記従来例の問題点を解決するための本発明は、操作部を有する第１筐体と、前記操作部の少なくとも一部を隠す第１位置から前記操作部を露出させる第２位置まで移動する第２筐体と、前記第１筐体の操作部を照明する照明部と、を含む携帯端末装置の、前記照明部を制御する方法であって、前記第２筐体が移動しているときに、その位置を検出する工程と、前記検出された位置に基づいて前記照明部を段階的に制御する工程と、を含むことを特徴としている。
【００１１】
さらに、本発明のある態様に係るプログラムは、操作部を有する第１筐体と、前記操作部の少なくとも一部を隠す第１位置から前記操作部を露出させる第２位置まで移動する第２筐体と、前記第１筐体の操作部を照明する照明部と、を含む携帯端末装置に内蔵されたコンピュータに、前記第２筐体が移動しているときに、その位置を検出する手順と、前記検出された位置に基づいて前記照明部を段階的に制御する手順と、を実行させることとしたものである。
【００１２】
【発明の実施の形態】
本発明の実施の形態について図面を参照しながら説明する。本発明の実施の形態に係る携帯端末装置は、図１〜図３に示すような直線スライド型の携帯端末であり、具体的に図１は、直線スライド式携帯端末の収納状態を示す正面斜視図であり、図２は、その伸長状態を示す正面斜視図であり、図３は、その伸長状態を示す背面斜視図である。
【００１３】
本実施の形態においては、これらの図に示す直線スライド式携帯端末１０は、移動電話機能を備えるとともに、各種データ処理機能を有するものであり、第１筐体１４及び第２筐体１２を備え、第２筐体１２は第１筐体１４に対して直線的にスライド移動可能となっている。
【００１４】
すなわち、第２筐体１２の裏面には、図３に示されるように、互いに平行する一対のガイド溝３０が形成されており、一方、第１筐体１４には、操作面１６側に、これらガイド溝３０に係合する一対の鉤状突起部（図示せず）が形成されている。さらに、第２筐体１２の裏面及び第１筐体の表面、すなわち操作面１６は、いずれも平面とされており、また、ガイド溝３０は直線状に形成されている。このため、第２筐体１２は、両ガイド溝３０が各鉤状突起部に係合した状態を維持しつつ、第１筐体１４に対して直線的にスライド移動するようになっている。こうして、第２筐体１２は、第１筐体１４の操作面１６をその裏面で覆う収納位置と、第１筐体１４の操作面１６を露出させる伸長位置と、をスライド移動するようになっている。以下では、第２筐体１２が収納位置にある状態を収納状態、伸長状態にある状態を伸長状態と呼ぶ。
【００１５】
各ガイド溝３０の底部には図示しない線状の電極が設けられており、一方、第１筐体１４に設けられた鉤状突起部の頂部にも図示しない電極が設けられている。直線スライド式携帯端末１０では、これらの電極の接触が維持されることにより、スライド位置に依らず、第１筐体１４と第２筐体１２との間で電力及びデータの授受が確実に行われるようになっている。
【００１６】
また、図１に示されるように、第２筐体１２には、その表面に受話スピーカ２０、表示部２２、副操作部２４が設けられ、表面縁部に着信用ＬＥＤ１８が設けられている。また、図２に示されるように、第１筐体１４には、操作面１６に複数のセンサ１７と主操作部２８とが設けられ、側面にマイク部２６が設けられている。
【００１７】
センサ１７は、第２筐体１２の移動方向に複数配列されており、具体的には光センサや、押下されたときにオンとなり、押下されないときにはオフとなるようなプッシュ型のスイッチ等であり、光センサであれば第２筐体１２によって覆い隠されたときに入射光がなくなることで第２筐体１２の位置を検出し、プッシュ型のスイッチであれば、第２筐体１２によって覆い隠されたときに押下されることで、第２筐体１２が操作面１６のどの部分を覆い隠しているか、すなわち第２筐体１２の位置が検出される。
【００１８】
主操作部２８は、電話番号その他の各種データをユーザが入力したり、各種操作指示を行うため、複数の操作部材を含んでいる。すなわち、この主操作部２８には、少なくとも電話番号や文章入力に必要な１０キー、着信ボタン、機能選択キー（ファンクションキー）などの各種ボタン及び操作キーを含んでいる。
【００１９】
副操作部２４は、主に収納状態で必要とされる各種操作部材を含んでいる。例えば、収納状態でも電話の着信を受けたい場合は、着信ボタンを副操作部２４に含まれる操作部材に割り付ければよい。この割り付けは固定的なものであってもよいし、ユーザが任意に割り付けることができるようにしてもよい。
【００２０】
表示部２２は、ＬＣＤ（Ｌｉｑｕｉｄ  Ｃｒｙｓｔａｌ  Ｄｉｓｐｌａｙ）からなり、電話番号の表示やメニュー画面などの表示を行う。この表示部２２は、第２照明部としてのバックライトを備える。着信用ＬＥＤ１８は、着信があった時に点灯／点滅することでユーザに着信を報知するものである。この着信用ＬＥＤ１８は、着信時にユーザが確実に気付くよう表面縁部に設けられている。また、マイク部２６は、通話時にユーザの発声を拾うものであり、受話スピーカ２０は、通話時に通話相手の発声を出力するものである。受話スピーカ２０は、アラームの出力など、他の音声の出力に用いられてもよい。
【００２１】
なお、直線スライド式携帯端末１０は、収納状態ではＰＤＡ（Ｐｅｒｓｏｎａｌ  Ｄｉｇｉｔａｌ  Ａｓｓｉｓｔａｎｔｓ）として使用され、伸長状態では携帯電話として使用されてもよい。この場合、ＰＤＡとしての使い勝手を向上させるため、表示部２２にタッチパネルを備え、タッチ入力や手書き文字入力等を可能とすることが望ましい。第２筐体１２もまた、第１筐体１４と略同一大の薄型箱状に形成されている。
【００２２】
本実施の形態において、第１筐体１４内、主操作部２８の裏側には、図４に示すように、第２筐体の移動方向に沿って複数の照明部４０ａ〜４０ｎが配列されている。この照明部４０のそれぞれは、第２筐体の移動方向に対して垂直な方向にグループ化された発光素子を含む。図４の例では、主操作部２８のテンキーのうち、マイク２６に近い、下段部分のキー群を主として照明する照明部４０ａと、中段部分のキー群を主として照明する照明部４０ｂと、上段部分のキー群を主として照明する照明部４０ｃと、これらテンキーより上段に配されている機能選択キー等を主として照明する照明部４０ｄとを配列した例を示している。
【００２３】
また、本実施の形態の携帯端末装置は、図５に示すように、第２筐体位置検出部５２と、照明制御部５４とを含む。第２筐体位置検出部５２は、第２筐体１２の移動位置（第２筐体１２が操作面１６のどの部分を覆い隠しているか）を検出して、当該検出した位置を表す信号を照明制御部５４に出力する。具体的にこの第２筐体位置検出部５２は、第１筐体１４の操作面１６上に設けられた複数のセンサ１７によって第２筐体１２の位置を検出する。
【００２４】
照明制御部５４は、第２筐体位置検出部５２から入力される、第２筐体１２の移動位置を表す信号（操作部の掩蔽状態を表す信号）に基づき、各照明部４０を段階的に制御する。例えば、操作面１６のうち、第２筐体１２によって覆い隠されている部分を主として照明する照明部４０を消灯し、第２筐体１２によって露出されている部分を主として照明する照明部４０を点灯するよう制御する。
【００２５】
また、この照明制御部５４は、第２筐体位置検出部５２から入力される、第２筐体１２の移動位置を表す信号が変化したか否かを一定の時間をおいて調べ、当該一定の時間の間に、当該信号が変化しているときには、第２筐体１２が移動中であると判断して表示部２２のバックライトを点灯するよう制御することとしてもよい。
【００２６】
この照明制御部５４は、図示しない記憶部（ＲＯＭ等）に格納されたソフトウエアに従って動作する、マイクロコンピュータによって実現してもよい。
【００２７】
本実施の形態の携帯端末装置は、以上の例のように構成され、次の例のように動作する。すなわち、収納状態の位置から、第２筐体１２を移動させると、まず、第１筐体１４の操作面１６上で、マイク２６が設けられた側面に最も近いセンサ１７が反応し、第２筐体位置検出部５２が、第２筐体１２の移動位置を検出して、照明制御部５４に検出した位置を表す信号を出力する。
【００２８】
照明制御部５４は、当該信号の変化があったことを検知して表示部２２のバックライトを点灯する。なお、このバックライトに連動して、副操作部２４の照明を点灯制御してもよい。この時点で、主操作部２８のボタンが露出していない場合、照明制御部５４は、照明部４０を点灯制御しない。
【００２９】
やがて第２筐体１２が主操作部２８の一部を露出させる位置に至ると、第２筐体位置検出部５２が当該位置を検出し、照明制御部５４が、当該露出した主操作部２８の一部分を主として照明する照明部４０を点灯制御する。以下、各センサ１７を利用して第２筐体位置検出部５２が、第２筐体１２の移動によって主操作部２８が順次露出されると、それぞれの露出部分を主として照明する照明部４０を順次点灯していく。そして、第２筐体１２が伸長位置に至ると、すべての照明部４０が点灯している状態となる。
【００３０】
このように本実施の形態では、すべての照明部４０が消灯した状態と、すべての照明部４０が点灯した状態との間に、少なくとも１段階の、照明部４０の一部が点灯した状態を有する。
【００３１】
また、本発明の携帯端末装置は、ここまでに説明した実施の形態に限られるものではない。例えば、ここまでの説明では、第１筐体１４に対して第２筐体１２が直線的に、すなわち直線軌道によりスライド移動する例について述べたが、第１筐体１４の操作面１６を一定曲率の曲面に形成し、第２筐体１２の裏面を、操作面１６と同じ一定曲率の曲面に形成して、第１筐体１４に対して第２筐体１２が円弧軌道によりスライド移動するようにしてもよい。
【００３２】
また、第１筐体の第２筐体側の面に垂直な軸を中心として回動する第２筐体を有するものでもよい。
【００３３】
さらにセンサ１７は、第２筐体１２又は第１筐体１４内に内蔵され、第２筐体１２の移動に伴って、その抵抗値を変化させるポテンショメータ等であってもよい。
【００３４】
またここまでの説明では、複数の照明部４０の少なくとも一部を選択的に点灯制御することで、段階的な点灯制御を行っているが、少なくとも一つの照明部の明るさを段階的に変化させることで段階的な点灯制御を行ってもよい。
【００３５】
【発明の効果】
本発明によれば、操作部等の照明が、操作部の掩蔽状態に応じて段階的に制御されるため、消費電力をより低減することができる。
【図面の簡単な説明】
【図１】本発明の実施の形態に係る携帯端末装置の収納状態を示す正面斜視図である。
【図２】本発明の実施の形態に係る携帯端末装置の伸長状態を示す正面斜視図である。
【図３】本発明の実施の形態に係る携帯端末装置の伸長状態を示す背面斜視図である。
【図４】本発明の実施の形態に係る携帯端末装置に内蔵された照明の配置状態を表す説明図である。
【図５】本発明の実施の形態に係る携帯端末装置の構成ブロック図である。
【符号の説明】
１０  直線スライド式携帯端末装置、１２  第２筐体、１４  第１筐体、１６操作面、１７  センサ、１８  着信用ＬＥＤ、２０  受話スピーカ、２２  表示部、２４  副操作部、２６  マイク部、２８  主操作部、３０  ガイド溝、４０  照明部、５２  第２筐体位置検出部、５４  照明制御部。
【図１】
2004297601.tif 000003
【図２】
2004297601.tif 000004
【図３】
2004297601.tif 000005
【図４】
2004297601.tif 000006
【図５】
2004297601.tif 000007